(57)【要約】【課題】物品の上面と天井との間に容易に取り付けることができる転倒防止装置を提供する。【解決手段】転倒防止装置１のダンパ１０は家具Ｆの上面と天井Ｃとの間に取り付けられ、減衰力を発生して伸長方向に付勢力を発生する。第２ベース部３０Ｂは天井Ｃ側に位置するダンパ１０の端部に連結され、天井Ｃに当接する。ピン４５は第２ベース部３０Ｂに対して回動が抑制され、ダンパ１０に対する回動軸として第２ベース部３０Ｂとダンパ１０とを連結する。圧縮バンド９０がピン４５に係止して、ダンパ１０を所定の収縮状態に保持すると、ダンパ１０の付勢力に基づいて圧縮バンド９０とピン４５との間に摩擦力が生じ、ダンパ１０に対して第２ベース部３０Ｂの回動が抑制される。【選択図】図７
2019017839.tif 000002
【特許請求の範囲】
【請求項１】
設置面上に設置された物品の上面と天井との間に取り付けられ、減衰力を発生して伸長方向に付勢力を発生するダンパと、
前記天井側に位置する前記ダンパの端部に連結され、前記天井に当接するベース部と、
前記ベース部に対して回動が抑制され、前記ダンパに対する回動軸として前記ベース部と前記ダンパとを連結するピンと、
前記ピンに係止して、前記ダンパを所定の収縮状態に保持する圧縮バンドと、
を備えており、
前記ダンパの前記付勢力に基づいて前記圧縮バンドと前記ピンとの間に生じる摩擦力によって前記ダンパに対して前記ベース部が回動することが抑制されることを特徴とする転倒防止装置。
【請求項２】
前記ピンに圧入され、前記ベース部に対して前記ピンの中心軸方向に前記ピンが移動することを制限し、圧入された前記ピンとの間に生じる摩擦力、及び前記ベース部に当接して前記ベース部との間に生じる摩擦力によって前記ベース部に対して前記ピンの回動を抑制するプッシュナットを備えていることを特徴とする請求項１に記載の転倒防止装置。
【請求項３】
前記ベース部は前記ピンの外径より僅かに小さい内径の挿通孔が形成されており、
前記挿通孔に前記ピンが圧入され、前記ピンと前記挿通孔との間に生じる摩擦力によって前記ベース部に対して前記ピンの回動を抑制することを特徴とする請求項１に記載の転倒防止装置。
【発明の詳細な説明】
【技術分野】
【０００１】
本発明は転倒防止装置に関するものである。
【背景技術】
【０００２】
特許文献１は従来の転倒防止装置を開示している。この転倒防止装置は伸縮して減衰力を発生するダンパと一対のベース部とを備えている。転倒防止装置は床面上に設置された物品である家具の上面と天井との間に取り付けられている。一対のベース部はダンパの両端部のそれぞれを回動軸周りに回動自在に軸支している。一方のベース部は家具の上面に当接し、他方のベース部は天井に当接している。
このようにして、家具の上面と天井との間に取り付けられた転倒防止装置は、地震等の揺れによって家具が前方に傾くと、各ベース部に対してダンパが回動軸周りに回動して伸縮し、各ベース部が家具の上面と天井とに当接した状態を維持することができる。よって、この転倒防止装置は、ダンパの減衰力により家具の傾きを抑制して家具の転倒を防止することができる。
【先行技術文献】
【特許文献】
【０００３】
【特許文献１】特開２０１５−６３３０号公報
【発明の概要】
【発明が解決しようとする課題】
【０００４】
特許文献１の転倒防止装置の一対のベース部はダンパの両端部のそれぞれを回動軸周りに回動自在に軸支している。このため、この転倒防止装置を家具の上面と天井との間に取り付ける場合、天井側のベース部の天井に対する姿勢が定まり難い。このため、この転倒防止装置を家具の上面と天井との間に取り付ける作業を行う場合、天井側のベース部の向きを天井に当接する向きに調節してその姿勢を保持する手間がかかる。つまり、この転倒防止装置は家具の上面と天井との間に取り付ける作業が容易でない。
【０００５】
本発明は、上記従来の実情に鑑みてなされたものであって、物品の上面と天井との間に容易に取り付けることができる転倒防止装置を提供することを解決すべき課題としている。
【課題を解決するための手段】
【０００６】
本発明の転倒防止装置は、ダンパ、ベース部、ピン、及び圧縮バンドを備えている。
ダンパは設置面上に設置された物品の上面と天井との間に取り付けられ、減衰力を発生して伸長方向に付勢力を発生する。
ベース部は天井側に位置するダンパの端部に連結され、天井に当接する。
ピンはベース部に対して回動が抑制され、ダンパに対する回動軸としてベース部とダンパとを連結する。
圧縮バンドはピンに係止して、ダンパを所定の収縮状態に保持する。
また、ダンパの付勢力に基づいて圧縮バンドとピンとの間に生じる摩擦力によってダンパに対してベース部が回動することが抑制される。
【０００７】
この転倒防止装置は、ベース部に対してピンの回動が抑制されている。ピンに圧縮バンドを係止して、ダンパを所定の収縮状態に保持している場合、ダンパの付勢力に基づいて圧縮バンドとピンとの間に生じる摩擦力によってダンパに対してベース部が回動することが抑制される。これにより、この転倒防止装置を物品の上面と天井との間に設置する場合、予めダンパに対するベース部の姿勢をおおよそ定めると、その姿勢を保持することができる。つまり、この転倒防止装置を物品の上面と天井との間に取り付ける作業を行う場合、天井に当接するベース部の姿勢を天井に当接する向きに調節してその姿勢を保持する手間がかからない。
また、この転倒防止装置は、圧縮バンドがピンに係止した状態で圧縮バンドを切断して、物品の上面と天井との間に取り付けると、圧縮バンドとピンとの間にダンパの伸長方向の付勢力に基づく摩擦力が生じなくなるため、ダンパに対してベース部が回動自在になる。これにより、この転倒防止装置はベース部に対してダンパがピンの中心軸周りに回動し、ベース部が天井に当接した状態を維持することができる。
【０００８】
したがって、本発明の転倒防止装置は物品の上面と天井との間に容易に取り付けることができる。
【０００９】
本発明の転倒防止装置は、ピンに圧入され、ベース部に対してピンの中心軸方向にピンが移動することを制限し、圧入されたピンとの間に生じる摩擦力、及びベース部に当接してベース部との間に生じる摩擦力によってベース部に対してピンの回動を抑制するプッシュナットを備え得る。この場合、この転倒防止装置は、プッシュナットをピンに圧入することによってベース部に対するピンの回動を容易に抑制することができる。
【００１０】
本発明の転倒防止装置のベース部はピンの外径より僅かに小さい内径の挿通孔が形成されており、挿通孔にピンが圧入され、ピンと挿通孔との間に生じる摩擦力によってベース部に対してピンの回動を抑制し得る。この場合、この転倒防止装置は、挿通孔にピンを圧入することによってベース部に対するピンの回動を容易に抑制することができる。
【００１１】
ここで、物品とは、家具、複数の寝台を上下方向に連結したベッド、大型テレビ、冷蔵庫、書棚、ショーケース、サーバーラック等、地震の揺れ等によって転倒するおそれのあるものが含まれる。
【図面の簡単な説明】
【００１２】
【図１】実施形態１の転倒防止装置を家具の上面と天井との間に取り付けた状態を示す側面図である。
【図２】実施形態１の転倒防止装置を家具の上面と天井との間に取り付けた状態を示す正面図である。
【図３】実施形態１の転倒防止装置のダンパ及び第１ベース部を示す部分断面図である。
【図４】実施形態１の転倒防止装置のダンパ、及び第１ベース部を示す分解斜視図である。
【図５】実施形態１の転倒防止装置のダンパ、第１ベース部、及び角度規制部を示す部分断面図である。
【図６】実施形態１の転倒防止装置の圧縮バンドを示す斜視図である。
【図７】実施形態１の転倒防止装置であって、圧縮バンドによってダンパを所定の収縮状態に保持した状態で、家具の上面と天井との間に配置した状態を示す側面図である。
【図８】図７におけるＸ−Ｘ断面図である。
【図９】実施形態１の転倒防止装置の第２ベース部、ピン、及び圧縮バンドを示す部分拡大図である。
【図１０】実施形態１の転倒防止装置であって、圧縮バンドによってダンパを所定の収縮状態に保持した状態で、家具の上面と天井との間に配置した状態を示す正面図である。
【図１１】実施形態２の転倒防止装置であって、圧縮バンドによってダンパを所定の収縮状態に保持した状態で、家具の上面と天井との間に配置した状態のダンパ、第１ベース部、及び圧縮バンドを示す部分断面図である。
【図１２】実施形態２の転倒防止装置であって、圧縮バンドによってダンパを所定の収縮状態に保持した状態で、家具の上面と天井との間に配置した状態のダンパ、第２ベース部、及び圧縮バンドを示す部分断面図である。
【発明を実施するための形態】
【００１３】
本発明の転倒防止装置を具体化した実施形態１、２について、図面を参照しつつ説明する。
【００１４】
＜実施形態１＞
実施形態１の転倒防止装置１は、図１に示すように、設置面上である床面上に設置された物品である家具Ｆの上面と天井Ｃとの間に少なくとも１個以上が取り付けられる。この家具Ｆは、床面（図示せず）から鉛直方向に伸びた壁面Ｗに背面を対向させて床面上に設置されている。また、この家具Ｆは、直方体形状であり、正面（図１における右側面）に図示しない扉や引き出し等を有し、内部に衣類や装身具等を収納することができる。家具Ｆは、水平断面形状が左右方向（図１において奥行き方向）に長い長方形状である。この家具Ｆは、転倒防止装置１が取り付けられていない場合、地震等の揺れによって、前方向（図１において右方向）に傾いて転倒するおそれがある。
【００１５】
転倒防止装置１は、図１、２、７、１０に示すようにダンパ１０、第１ベース部３０Ａ、第２ベース部３０Ｂ、角度規制部７０、及び圧縮バンド９０を備えている。
【００１６】
ダンパ１０は、シリンダ１１、図示しないロッドガイド、図示しないピストン、ロッド１３、両端に設けられた２個のジョイント部１５、及び２個のブッシュ３５を有している。シリンダ１１は有底筒状である。ロッドガイドはシリンダ１１の開口部を封鎖している。ピストンはシリンダ１１内に摺動自在に挿入されている。ロッド１３は基端部がピストンに連結されている。また、ロッド１３はロッドガイドを挿通して先端側がシリンダ１１の外部へ突出している。シリンダ１１は作動油及び圧縮ガスを封入している。各ジョイント部１５は、図１〜３に示すように、平板状の金具を折り曲げて形成されている。また、各ジョイント部１５はシリンダ１１の底部とロッド１３の先端部に接続されている。各ジョイント部１５はダンパ１０の中心軸に直交する方向に貫通した貫通孔１５Ａが形成されている（図３参照。）。
【００１７】
各ブッシュ３５は、図３に示すように、ほぼ円筒状である。各ブッシュ３５は弾性体である。各ブッシュ３５の長さはベース部本体３１に設けられた一対の凸部４３，４３の内壁面４３Ａ，４３Ａ同士の間隔によりも僅かに小さい。各ブッシュ３５には中央部の外周面を一周した凹部３５Ａが形成されている。この凹部３５Ａの外径がダンパ１０のジョイント部１５に形成された貫通孔１５Ａの内径よりも僅かに小さい。各ブッシュ３５の凹部３５Ａの両端から立ち上がった部分の外径はダンパ１０のジョイント部１５に形成された貫通孔１５Ａの内径よりも大きい。また、各ブッシュ３５の両端部の外周面３５Ｂは外方向に縮径している。このため、各ブッシュ３５はダンパ１０のジョイント部１５に形成された貫通孔１５Ａに弾性変形させながら挿入される。そして、各ブッシュ３５は、貫通孔１５Ａに凹部３５Ａが嵌まり込んで、ダンパ１０のジョイント部１５に取り付けられる。
【００１８】
ダンパ１０は収縮動作時に発生する減衰力が伸長動作時に発生する減衰力よりも大きい圧効きダンパである。ここで、ダンパ１０の伸長動作とは、シリンダ１１からロッド１３の突出する長さ（ダンパ１０の全長）が長くなっていく動作を意味する。また、ダンパ１０の収縮動作とは、シリンダ１１からロッド１３の突出する長さ（ダンパ１０の全長）が短くなっていく動作を意味する。また、ダンパ１０にはシリンダ１１に封入した圧縮ガスの膨張力が伸長方向に働いている。つまり、ダンパ１０は減衰力を発生し、伸長方向に付勢力を発生する。
【００１９】
ダンパ１０の減衰力が発生するメカニズムは、周知の構造であるため、図示を省略して説明する。シリンダ１１は、内部がピストンによって、ロッド１３の基端部が収納されているロッド側圧力室と、反ロッド側圧力室とに仕切られている。ピストンには両圧力室間を連通させる絞り弁であるオリフィスが形成されている。オリフィスは、ダンパ１０の伸縮動作に伴うロッド側圧力室と反ロッド側圧力室との間の作動油の流れに抵抗を付与して減衰力を発生する減衰力発生部として機能する。また、ピストンには逆止弁を介して両圧力室間を連通する連通路が形成されている。逆止弁は、ロッド側圧力室から反ロッド側圧力室への作動油の流れを許容し、その逆の流れを阻止する。このため、ダンパ１０の伸長動作時は、ロッド側圧力室から反ロッド側圧力室への作動油の流路経路が、オリフィスと連通路の経路になる。一方、ダンパ１０の収縮動作時は、反ロッド側圧力室からロッド側圧力室への作動油の流路経路がオリフィスのみとなる。このため、ダンパ１０の伸長動作時に発生する減衰力は、収縮動作時に発生する減衰力よりも小さくなる。
【００２０】
図１、２に示すように、第１ベース部３０Ａは、シリンダ１１の底部に接続されたジョイント部１５に連結され、第２ベース部３０Ｂは、ロッド１３の先端部に接続されたジョイント部１５に連結されている。第１ベース部３０Ａは家具Ｆの上面に当接して載置され、第２ベース部３０Ｂは天井Ｃに当接する。第１ベース部３０Ａ、及び第２ベース部３０Ｂは、図１〜４に示すように、ベース部本体３１、ピン４５、プッシュナット４７、及び滑り止め部３７を有している。
【００２１】
家具Ｆの上面に当接して載置された状態で第１ベース部３０Ａを上方から見た平面視において、ベース部本体３１は長方形状の外形である（以下、この平面視におけるベース部本体３１の外形において長辺が伸びている方向を「長辺方向」と言い、短辺が伸びている方向を「短辺方向」と言う。）。また、家具Ｆの上面に当接して載置された状態で第１ベース部３０Ａを短辺方向に見た側面視において、ベース部本体３１は、下端縁が家具Ｆの上面に平行に直線状に伸びており、上端縁が下端縁の両側から上方に膨らんだ円弧状の外形である（図１参照。）。また、家具Ｆの上面に当接して載置された状態で第１ベース部３０Ａを長辺方向に見た側面視において、ベース部本体３１は下端縁よりも上端縁が短いほぼ台形状の外形である（図２、３参照。）。
【００２２】
図４に示すように、家具Ｆの上面に当接して載置された状態の第１ベース部３０Ａにおいて、ベース部本体３１には上面に長辺方向（図１における左右方向であり、図２、３における奥行き方向）に伸びた溝部４１が形成されている。溝部４１は、底面４１Ａが水平面上に拡がり、内壁面４１Ｂが底面４１Ａの両側にほぼ鉛直方向に立ち上がっている。溝部４１の底面４１Ａはベース部本体３１の上下方向のほぼ中央に伸びている。また、溝部４１の底面４１Ａは、後述する一対の凸部４３，４３が形成されている部分を除き、幅が一定に形成されている。
【００２３】
溝部４１には、図４に示すように、長辺方向の中央部に溝部４１の底面４１Ａ及び両内壁面４１Ｂ，４１Ｂから突出した一対の凸部４３，４３が形成されている。これら凸部４３，４３の間には、ダンパ１０のジョイント部１５及びブッシュ３５が嵌まり込む空間が形成されている（図３参照。）。この空間は溝部４１に連通している。一対の凸部４３，４３の内壁面４３Ａ，４３Ａ同士の間隔（空間の短辺方向の長さ）はブッシュ３５の短辺方向の長さよりも僅かに大きい（図３参照。）。また、一対の凸部４３，４３は上部中央に後述するピン４５が挿通する挿通孔４３Ｂが短辺方向に貫通している（図３参照。）。
【００２４】
溝部４１には底面４１Ａに貫通して設けられた挿入孔４９が形成されている。挿入孔４９は凸部４３から所定の距離離れて形成されている。挿入孔４９は上方からの平面視において、溝部４１の幅方向に伸びた長方形状である。挿入孔４９には後述する角度規制部７０に設けられた第１挿入片７２及び第２挿入片７７が挿入される。
【００２５】
家具Ｆの上面に当接して載置された状態の第１ベース部３０Ａにおいて、ベース部本体３１には、長辺方向の中央部であって、溝部４１の両側に窪み部４２が形成されている。これら窪み部４２は上方向と短辺方向の外方向に開口している。また、これら窪み部４２の外壁面４２Ｂには凸部４３を貫通した挿通孔４３Ｂが開口している。また、これら窪み部４２には後述するピン４５の一端部４５Ａと、ピン４５の他端部４５Ｃ及び他端部４５Ｃに圧入されたプッシュナット４７とが配置される。また、これら窪み部４２は上方に向かうにつれて長辺方向に拡がるように形成されている。これにより、ピン４５の一端部４５Ａや、他端部４５Ｃ及びプッシュナット４７のそれぞれに上方から工具を嵌合させ易い。
【００２６】
ベース部本体３１は、図１、３に示すように、空間が形成されている。また、ベース部本体３１は、家具Ｆの上面に当接して載置された状態の第１ベース部３０Ａにおいて、下方に開口している。
【００２７】
図２〜４に示すように、ピン４５は円柱状をなしており、円柱状の一端部４５Ａに鍔部４５Ｄが形成されている。プッシュナット４７は円盤状をなしている。プッシュナット４７には円盤状の中央部が円盤状の一方側に突出した突出部４７Ａが形成されている。また、突出部４７Ａの中央部には円盤状の板厚方向に貫通した貫通孔４７Ｂが形成されている。また、突出部４７Ａには複数のスリット４７Ｃが形成されている。これらスリット４７Ｃはプッシュナット４７の円盤状の中心から放射方向に伸びており、貫通孔４７Ｂの内周から突出部４７Ａの外周まで伸びて形成されている。突出部４７Ａは複数のスリット４７Ｃによって複数に分割されている。ピン４５はベース部本体３１の一方の挿通孔４３Ｂから他端部４５Ｃが挿入されており、一方の挿通孔４３Ｂが開口した外壁面４２Ｂに鍔部４５Ｄが当接している（図３参照。）。そして、他方の挿通孔４３Ｂから突出した他端部４５Ｃにプッシュナット４７が圧入されている。プッシュナット４７の円盤状の他方側の面は第１ベース部３０Ａの他方の挿通孔４３Ｂが開口している外壁面４２Ｂに当接して押付けられている（図３参照。）。
【００２８】
プッシュナット４７にピン４５の他端部４５Ｃが圧入されているため、プッシュナット４７をピン４５に対して回動させようとすると、プッシュナット４７の突出部４７Ａの貫通孔４７Ｂとピン４５の他端部４５Ｃの外周面との間に摩擦力が発生する。これにより、プッシュナット４７はピン４５に対して回動が抑制される。また、プッシュナット４７の円盤状の他方側の面がベース部本体３１の外壁面４２Ｂに当接して押付けられている。このため、プッシュナット４７をベース部本体３１に対して回動させようとすると、プッシュナット４７の他方側の面とベース部本体３１の外壁面４２Ｂとの間に摩擦力が発生する。これにより、プッシュナット４７はベース部本体３１に対して回動が抑制される。つまり、プッシュナット４７は、圧入されたピン４５との間に生じる摩擦力、及び第１ベース部３０Ａ、及び第２ベース部３０Ｂのそれぞれのベース部本体３１に当接して、第１ベース部３０Ａ、及び第２ベース部３０Ｂのそれぞれとの間に生じる摩擦力によって第１ベース部３０Ａ、及び第２ベース部３０Ｂのそれぞれに対してピン４５の回動を抑制する。また、プッシュナット４７をピン４５に圧入することによって、第１ベース部３０Ａ、及び第２ベース部３０Ｂのそれぞれのベース部本体３１に対してピン４５が、図３における右方向に移動することを制限している。また、ピン４５は鍔部４５Ｄによって、第１ベース部３０Ａ、及び第２ベース部３０Ｂのそれぞれのベース部本体３１に対してピン４５がピン４５の中心軸方向であって図３における左方向に移動することを制限している。なお、ピン４５が第１ベース部３０Ａ、及び第２ベース部３０Ｂにおけるダンパ１０の回動軸である。
【００２９】
ブッシュ３５の中央部の内径はピン４５の外径よりも僅かに大きい。また、ブッシュ３５は両端部の内周面３５Ｃが外方向に拡径している。このため、このブッシュ３５はピン４５の回転軸周りに回動自在である。また、このブッシュ３５は、拡径した両端部の内周面３５Ｃがピン４５の外周面に当接する範囲で、ピン４５に対して傾くことができる。つまり、ブッシュ３５をジョイント部１５に取り付けたダンパ１０は、ピン４５の回転軸周りに回動自在であり、回動方向に交差する方向に揺動自在である。具体的には、寸法上の余裕と内周面３５Ｃの拡径によって揺動する。さらに、ブッシュ３５が弾性変形することによって、ダンパ１０は回動方向に交差する方向に、より大きく揺動することができる。
【００３０】
滑り止め部３７は、図１〜４に示すように、ほぼ平板状をなし、ベース部本体３１の外形に対して僅かに大きい相似形（長方形状）の外形である。滑り止め部３７はゴムや可撓性を有した熱可塑性樹脂等で形成されている。また、滑り止め部３７は、家具Ｆの上面に当接して載置された状態の第１ベース部３０Ａにおいて、ベース部本体３１の下端開口に嵌合される。また、天井Ｃに向けて配置した状態の第２ベース部３０Ｂにおいて、滑り止め部３７は、ベース部本体３１の上端開口に嵌合される。
【００３１】
ダンパ１０と第１ベース部３０Ａ、及び第２ベース部３０Ｂとは、ピン４５、及びプッシュナット４７で連結されている。具体的には、図３に示すように、ブッシュ３５を取り付けたダンパ１０のジョイント部１５がベース部本体３１に形成された一対の凸部４３，４３の間に挿入され配置されている。そして、ピン４５の他端部４５Ｃ側がベース部本体３１の一方の挿通孔４３Ｂ、ブッシュ３５、及び他方の挿通孔４３Ｂに挿通されて、他方の挿通孔４３Ｂから突出したピン４５の他端部４５Ｃにプッシュナット４７を圧入して取り付けられている。ダンパ１０のジョイント部１５の他方も同様にベース部本体３１が連結されている。この状態で、ピン４５の一端部４５Ａと他端部４５Ｃの先端部及びプッシュナット４７はダンパ１０の中心軸に対称な位置でベース部本体３１の窪み部４２内で露出している。
【００３２】
こうしてピン４５、及びプッシュナット４７で連結された第１ベース部３０Ａ及び第２ベース部３０Ｂはダンパ１０に対して回動自在である。具体的には、中央部の内径がピン４５の外径よりも僅かに大きいブッシュ３５がピン４５に挿通されているため、ピン４５が設けられた第１ベース部３０Ａ及び第２ベース部３０Ｂは、ブッシュ３５が設けられたジョイント部１５を有したダンパ１０に対して回動自在である。つまり、ピン４５はダンパ１０に対する回動軸として機能して第２ベース部３０Ｂとダンパ１０とを連結する。また、ピン４５はダンパ１０に対する回動軸として機能して第１ベース部３０Ａとダンパ１０とを連結する。また、ブッシュ３５は、両端部の内周面３５Ｃが外方向に拡径している。このため、ブッシュ３５の拡径した両端部の内周面３５Ｃがピン４５の外周面に当接する範囲で、ブッシュ３５が回動軸に対して傾くことができる。具体的には、寸法上の余裕と内周面３５Ｃの拡径によって揺動する。さらに、ブッシュ３５は、弾性体であり、弾性変形することによって、ダンパ１０は回動方向に交差する方向に、より大きく揺動することができる。このように、第１ベース部３０Ａ及び第２ベース部３０Ｂに連結されたダンパ１０は回動方向と交差する方向に揺動することができる。
【００３３】
角度規制部７０は、図１、５に示すように、第１ベース部３０Ａに着脱自在に取り付けられる。このため、転倒防止装置１は角度規制部７０を第１ベース部３０Ａから取り外した状態で梱包することによって、出荷形態を嵩張らないようにすることができる。角度規制部７０は、規制部７１、支持部７３、第１挿入片７２、及び第２挿入片７７を有している。規制部７１は第１ベース部３０Ａに取り付けられた状態で、ほぼ鉛直方向に伸びている。支持部７３は規制部７１の下端に設けられ、規制部７１の傾倒を防止する。第１挿入片７２及び第２挿入片７７は第１ベース部３０Ａの挿入孔４９に挿入し、角度規制部７０を第１ベース部３０Ａに取り付ける。
【００３４】
規制部７１は、柱状をなして上下方向に伸びている。規制部７１は、第１ベース部３０Ａに角度規制部７０を取り付けた状態で、上端から下端に向かうにつれて第１ベース部３０Ａにおける長辺方向の寸法が徐々に大きく形成されている。規制部７１は、家具Ｆの上面に当接して載置された第１ベース部３０Ａに角度規制部７０を取り付けた状態において、上端部に受け部７１Ａが設けられている。受け部７１Ａは半円環状をなしている。受け部７１Ａは半円環状の中央部を規制部７１の上端部に連結している。受け部７１Ａは、第１ベース部３０Ａに角度規制部７０を取り付けた状態で、半円環状の両端部のそれぞれが規制部７１の上端部から第１ベース部３０Ａにおける短辺方向に向けて伸びつつ、ダンパ１０のシリンダ１１の方向に向けて伸びている。受け部７１Ａは、第１ベース部３０Ａに角度規制部７０を取り付けた状態で、半円環状の内側がダンパ１０のシリンダ１１の外周の一部を囲むように配置される。
【００３５】
規制部７１は、ダンパ１０のシリンダ１１が受け部７１Ａに当接することによって、ダンパ１０を所定の傾斜姿勢にして、ダンパ１０がその傾斜姿勢より倒れないように傾斜角度を規制する。ダンパ１０の傾斜角度は１５°〜２５°が好ましい。受け部７１Ａは、シリンダ１１をしっかりと保持しないため、地震等の揺れによって家具Ｆが傾いたり揺れたりした際に生じるダンパ１０の動きを拘束しない。
【００３６】
支持部７３は平板状をなして一方向に伸びている。支持部７３の平板状に伸びる方向は規制部７１が伸びる方向に対してほぼ直交している。支持部７３は規制部７１の下端に平板状の一方の面を当接して規制部７１に連結されている。支持部７３の平板状に伸びる方向は第１ベース部３０Ａにおける長辺方向である。後述する第１挿入片７２、及び第２挿入片７７が第１ベース部３０Ａの挿入孔４９に挿入されると、ベース部本体３１に形成された溝部４１の底面４１Ａに支持部７３の他方の面が当接する。
【００３７】
第１挿入片７２及び第２挿入片７７は、図５に示すように、それぞれ平板状をなしている。また、第２挿入片７７は第１挿入片７２に対して所定の間隔を設けて、支持部７３の他方の面から垂下している。これら第１挿入片７２及び第２挿入片７７は平板状の板厚方向を支持部７３が一方向に伸びる方向に向けている。また、第１ベース部３０Ａに角度規制部７０を取り付けた状態で、第１挿入片７２はダンパ１０側に配置され、第２挿入片７７は第１挿入片７２よりもダンパ１０から離れた位置に配置されている。
【００３８】
支持部７３の他方の面から垂下した第１挿入片７２の先端部には爪部７４が設けられている。具体的には、爪部７４は、第１ベース部３０Ａに角度規制部７０を取り付けた状態で、第１挿入片７２の平板状の先端縁の全体に亘り設けられ、ダンパ１０のシリンダ１１のジョイント部１５側に向けて突出している。爪部７４において、第１挿入片７２の平板状の基端側に、支持部７３に対してほぼ平行をなした平面７８が形成されている。また、爪部７４にはダンパ１０側に向かうに従い平面７８に近づくように傾斜した第２傾斜面７５が形成されている。爪部７４は第２挿入片７７には設けられていない。また、支持部７３の他方の面から垂下した第２挿入片７７の先端部には傾斜面である第３傾斜面７６が形成されている。具体的には、第３傾斜面７６は、爪部７４の突出する方向とは反対側の第２挿入片７７の面の先端部の全体に亘り設けられている。また、第３傾斜面７６は、第２挿入片７７の先端に向かうに従い第１挿入片７２に近づく方向に傾斜している。また、第１挿入片７２と第２挿入片７７との間に設けられた所定の間隔は、第１挿入片７２からダンパ１０側に爪部７４が突出する寸法より大きい。
【００３９】
こうして形成された角度規制部７０は、規制部７１の半円環状の受け部７１Ａをダンパ１０のシリンダ１１の外周の一部を囲むようにし、支持部７３の他方の面を第１ベース部３０Ａの溝部４１の底面４１Ａに対向させて、第１挿入片７２、及び第２挿入片７７を挿入孔４９に挿入することによって、第１ベース部に取り付けることができる。
【００４０】
圧縮バンド９０は、ポリプロピレン等の樹脂材料等で形成されている。圧縮バンド９０は、図６、７、１０に示すように、第１ベース部３０Ａに取り付けられる第１係止部９１、第２ベース部３０Ｂに取り付けられる第２係止部９２、及び帯状をなして第１係止部９１と第２係止部９２とを連結する連結部９３を有する。
【００４１】
第１係止部９１は、帯状をなした連結部９３の一端部に設けられ、連結部９３が伸びる方向に対して横方向に伸びる根元部９１Ａと、この根元部９１Ａから立ち上がる一対の立上がり部９１Ｂ，９１Ｃとを備える。一対の立上がり部９１Ｂ，９１Ｃは、互いに対向して配置され、これら立上がり部９１Ｂ，９１Ｃの先端部には、円筒状をなした貫通孔部９１Ｄ，９１Ｅが互いに同軸に形成されている。貫通孔部９１Ｄ，９１Ｅの内、貫通孔部９１Ｄが第１ベース部３０Ａのピン４５の一端部４５Ａと嵌合するように係止する（図１０参照。）。また、貫通孔部９１Ｅは、第１ベース部３０Ａのピン４５の他端部４５Ｃと嵌合するように係止する（図７、１０参照。）。
【００４２】
第２係止部９２は、第１係止部９１と同一の形状をなしている。第２係止部９２は、帯状をなした連結部９３の他端部に設けられ、連結部９３の伸びる方向に対して横方向に伸びる根元部９２Ａと、根元部９２Ａから立ち上がる一対の立上がり部９２Ｂ，９２Ｃとを備える。これら立上がり部９２Ｂ，９２Ｃは、互いに対向して配置され、立上がり部９２Ｂ，９２Ｃの先端部には円環状をなした貫通孔部９２Ｄ，９２Ｅが互いに同軸に形成されている。貫通孔部９２Ｄ，９２Ｅの内、貫通孔部９２Ｅが第２ベース部３０Ｂのピン４５の一端部４５Ａと嵌合するように係止する（図８、１０参照。）。また、貫通孔部９２Ｄは、第２ベース部３０Ｂのピン４５の他端部４５Ｃと嵌合するように係止する（図７〜１０参照。）。
【００４３】
連結部９３は、所定の幅と厚みを有した帯状をなして一方向に伸びており、第１係止部９１と第２係止部９２とを繋いでいる。また、帯状をなした連結部９３の中央部には、厚みが薄く形成された薄肉部９３Ａが２つ形成されている。これら薄肉部９３Ａは連結部９３の幅方向（連結部９３が伸びる方向に対して横方向）に伸びて形成されている。また、これら薄肉部９３Ａの間には帯状の一方の面から突出して一対の突出部９３Ｂが設けられている。また、連結部９３の第１係止部９１の近傍、及び第２係止部９２の近傍に貫通した孔部９３Ｃ，９３Ｄがそれぞれ形成されている。例えば、連結部９３の薄肉部９３Ａで切断された圧縮バンド９０のそれぞれの孔部９３Ｃ，９３Ｄにワイヤや紐等の連結部材を通して繋ぐことによって、再び圧縮バンド９０でダンパ１０を所定の収縮状態に保持することができる。
【００４４】
圧縮バンド９０は、上下が対称形状となっている。つまり、上下を逆にしても同じ形状である。このため、圧縮バンド９０をピン４５に取り付ける際、上下の向きを考慮する必要がなくなり、圧縮バンド９０を第１ベース部３０Ａ及び第２ベース部３０Ｂのそれぞれに容易に取り付けることができる。
【００４５】
圧縮バンド９０を第１ベース部３０Ａ及び第２ベース部３０Ｂに取り付ける場合、ダンパ１０を所定の収縮状態にする。そして、第１ベース部３０Ａ及び第２ベース部３０Ｂのそれぞれのピン４５に第１係止部９１及び第２係止部９２を取り付ける。これにより、圧縮バンド９０によってそれぞれのピン４５が互いに繋がれてダンパ１０が伸長することを規制し、ダンパ１０を所定の収縮状態に保持する。つまり、圧縮バンド９０はピン４５に係止して、ダンパ１０を所定の収縮状態に保持する。また、このとき、帯状の連結部９３一方の面から突出した一対の突出部９３Ｂの先端が、ダンパ１０のシリンダ１１の外周面に当接して、連結部９３とシリンダ１１の外周面との間に所定の隙間が形成される（図７参照。）。こうして、圧縮バンド９０は第１ベース部３０Ａと第２ベース部３０Ｂとを繋ぐように第１ベース部３０Ａ及び第２ベース部３０Ｂに取り付けられる。
【００４６】
また、このとき、第１ベース部３０Ａのピン４５の一端部４５Ａ及び他端部４５Ｃの外周面と、第１係止部９１の貫通孔部９１Ｄ，９１Ｅの内周面との間にはダンパ１０の伸長方向の付勢力に基づいて摩擦力が生じている。また、第２ベース部３０Ｂのピン４５の一端部４５Ａ及び他端部４５Ｃの外周面と、第２係止部９２の貫通孔部９２Ｄ，９２Ｅの内周面との間にもダンパ１０の伸長方向の付勢力に基づいて摩擦力が生じている。
具体的には、図９に示すように、ピン４５の他端部４５Ｃの外周面と、第２係止部９２の貫通孔部９２Ｄの内周面との間には、ダンパの伸長方向の付勢力Ｆkが付与されている。そして、第２ベース部３０Ｂをピン４５の回転軸周りに回動させると、ピン４５の他端部４５Ｃの外周面と貫通孔部９２Ｄの内周面との間に付勢力Ｆkに基づいて摩擦力Ｆfが生じる。摩擦力Ｆfは付勢力Ｆkに所定の摩擦係数μを乗じることによって得られる。すなわち、摩擦力Ｆfと付勢力Ｆkとの関係は、Ｆf＝μ×Ｆkとして表すことができる。なお、所定の摩擦係数μはピン４５の外周面、及び貫通孔部９２Ｄの内周面の滑らかさや材質等によって決まる。また、この摩擦力はピン４５の一端部４５Ａの外周面と貫通孔部９２Ｅの内周面との間にも同様に生じる。さらに、この摩擦力は第１係止部９１の貫通孔部９１Ｄ，９１Ｅの内周面とピン４５の一端部４５Ａ及び他端部４５Ｃの外周面との間にも同様に生じる。
この摩擦力により、第１ベース部３０Ａ及び第２ベース部３０Ｂのそれぞれのピン４５は、第１係止部９１及び第２係止部９２のそれぞれに対して回動することが抑制される。また、これらピン４５はプッシュナット４７を介して第１ベース部３０Ａ、及び第２ベース部３０Ｂのそれぞれのベース部本体３１に対して回動が抑制されている。これにより、転倒防止装置１は圧縮バンド９０をこれらピン４５に取り付けることによって、ダンパ１０に対して第１ベース部３０Ａ及び第２ベース部３０Ｂのそれぞれが回動することが抑制される。
【００４７】
こうして構成された転倒防止装置１の出荷形態について説明する。第１ベース部３０Ａ及び第２ベース部３０Ｂは、ダンパ１０に対してピン４５、及びプッシュナット４７で連結されている。第１ベース部３０Ａ及び第２ベース部３０Ｂのダンパ１０に対する向きは、それぞれの滑り止め部３７の向きがダンパ１０の中心軸に平行な向きである。また、圧縮バンド９０は第１ベース部３０Ａ及び第２ベース部３０Ｂに取り付けられている。また、角度規制部７０は第１ベース部３０Ａから取り外されている。転倒防止装置１はこの状態で梱包されて工場から出荷される。
【００４８】
次に、転倒防止装置１を壁面Ｗに背面を対向させて床面上に設置された家具Ｆの上面と天井Ｃとの間に取り付ける取付け方法について説明する。
【００４９】
先ず、梱包された転倒防止装置１を開梱する。このとき、転倒防止装置１には圧縮バンド９０が取り付けられ、角度規制部７０が取り外された状態である。そして、図７、１０に示すように、第１ベース部３０Ａのベース部本体３１に形成された挿入孔４９に角度規制部７０の第１挿入片７２、及び第２挿入片７７を挿入し、第１ベース部３０Ａに角度規制部７０を取り付ける。
【００５０】
次に、角度規制部７０が取り付けられた第１ベース部３０Ａを、家具Ｆの壁面Ｗ側の上面に滑り止め部３７を当接させて載置する。この際、角度規制部７０はダンパ１０より家具Ｆの正面側に配置する。また、圧縮バンド９０はダンパ１０より家具Ｆの背面側に配置する。また、第１ベース部３０Ａを家具Ｆの上面に載置した状態で、第１ベース部３０Ａのピン４５は、家具Ｆが地震等の揺れによって傾く方向に対して直交する方向に伸びている。つまり、地震等の揺れによって家具Ｆが前方（図１において右方向）に傾いた際に、ピン４５を介して第１ベース部３０Ａとダンパ１０とが回動自在になることで、第１ベース部３０Ａが家具Ｆの上面に当接した状態を維持することができるように、第１ベース部３０Ａは家具Ｆの上面に載置される。
【００５１】
そして、ダンパ１０のシリンダ１１が角度規制部７０の受け部７１Ａに当接するようにダンパ１０を傾斜させる。この状態で、ダンパ１０は傾斜角度を１５°〜２５°の間の角度にする。そして、第２ベース部３０Ｂのピン４５が、第１ベース部３０Ａのピン４５と平行になるように、第２ベース部３０Ｂの向きを調節する。そして、天井Ｃ側に位置するダンパ１０の端部に連結されている第２ベース部３０Ｂの滑り止め部３７を天井Ｃに対しておおよそ平行になるように、ダンパ１０に対して第２ベース部３０Ｂを回動させる。このとき、圧縮バンド９０と第２ベース部３０Ｂのピン４５との間に生じる摩擦力によって、天井Ｃに対する第２ベース部３０Ｂの滑り止め部３７の向きがおおよそ平行の状態に保持されている。
この状態で、圧縮バンド９０の連結部９３の所定位置を切断する。具体的には、連結部９３の幅方向に伸びて形成された薄肉部９３Ａの位置を切断位置として連結部９３を切断する。連結部９３とシリンダ１１との間には連結部９３の突出部９３Ｂの先端がシリンダ１１の外周面に当接することによって形成された隙間が設けられており、この隙間に鋏やニッパー等の工具を差し込むことができ、連結部９３を容易に切断することができる。連結部９３を切断すると、シリンダ１１に封入した圧縮ガスの膨張力によってダンパ１０が伸長し、第２ベース部３０Ｂの滑り止め部３７の向きがおおよそ平行の状態に保持されたまま天井Ｃに当接する（図１、２参照。）。このため、転倒防止装置１は、連結部９３の薄肉部９３Ａを切断してダンパ１０が伸長した際に、第２ベース部３０Ｂの滑り止め部３７が天井Ｃに対しておおよそ平行の状態に保持されて当接することができる。
【００５２】
こうして、転倒防止装置１を家具Ｆの上面と天井Ｃとの間に取り付けることができる。また、家具Ｆの上面と天井Ｃとの間に取り付けられた転倒防止装置１はダンパ１０に対して、第１ベース部３０Ａ及び第２ベース部３０Ｂが回動自在な状態である。つまり、圧縮バンド９０がピン４５に係止した状態で圧縮バンド９０を切断すると、圧縮バンド９０とピン４５との間にダンパ１０の伸長方向の付勢力に基づく摩擦力が生じなくなるため、ダンパ１０に対して第２ベース部３０Ｂが回動自在になる。なお、転倒防止装置１を取り付けた後に、角度規制部７０、及び圧縮バンド９０を取り外してもよい。
【００５３】
このように、転倒防止装置１は、第１ベース部３０Ａ及び第２ベース部３０Ｂに対してピン４５の回動が抑制されている。ピン４５に圧縮バンド９０を係止して、ダンパ１０を所定の収縮状態に保持している場合、ダンパ１０の付勢力に基づいて圧縮バンド９０とピン４５との間に生じる摩擦力によってダンパ１０に対して第１ベース部３０Ａ及び第２ベース部３０Ｂが回動することが抑制される。これにより、転倒防止装置１を家具Ｆの上面と天井Ｃとの間に設置する場合、予めダンパ１０に対する第２ベース部３０Ｂの姿勢をおおよそ定めると、その姿勢を保持することができる。つまり、転倒防止装置１を家具Ｆの上面と天井Ｃとの間に取り付ける作業を行う場合、天井Ｃに当接する第２ベース部３０Ｂの姿勢を天井Ｃに当接する向きに調節してその姿勢を保持する手間がかからない。
また、転倒防止装置１は、圧縮バンド９０がピン４５に係止した状態で圧縮バンド９０を切断して、家具Ｆの上面と天井Ｃとの間に取り付けると、圧縮バンド９０とピン４５との間にダンパ１０の伸長方向の付勢力に基づく摩擦力が生じなくなるため、ダンパ１０に対して第１ベース部３０Ａ及び第２ベース部３０Ｂが回動自在になる。これにより、転倒防止装置１は第１ベース部３０Ａ及び第２ベース部３０Ｂに対してダンパ１０がピン４５の中心軸周りに回動し、第２ベース部３０Ｂが天井Ｃに当接した状態を維持することができる。
【００５４】
したがって、実施形態１の転倒防止装置１は家具Ｆの上面と天井Ｃとの間に容易に取り付けることができる。
【００５５】
また、転倒防止装置１は、ピン４５に圧入され、第２ベース部３０Ｂに対してピン４５の中心軸方向にピン４５が移動することを制限し、圧入されたピン４５との間に生じる摩擦力、及び第２ベース部３０Ｂに当接して第２ベース部３０Ｂとの間に生じる摩擦力によって第２ベース部３０Ｂに対してピン４５の回動を抑制するプッシュナット４７を備えている。このため、転倒防止装置１は、プッシュナット４７をピン４５に対して圧入することによって第２ベース部３０Ｂに対してピン４５の回動を容易に抑制することができる。
【００５６】
＜実施形態２＞
実施形態２の転倒防止装置２は、図１１、１２に示すように、ピン１４５を第１ベース部３０Ａ及び第２ベース部３０Ｂのそれぞれの挿通孔４３Ｂに圧入する点、及びプッシュナットを備えていない点が実施形態１と異なる。他の構成は実施形態１と同一であり、同一の構成は同一の符号を付し、詳細な説明を省略する。なお、転倒防止装置２の説明においても、物品の例として、設置面上である床面上に設置された家具Ｆを例示する。
【００５７】
ベース部本体３１に設けられた挿通孔４３Ｂの内径はピン１４５の外径より僅かに小さい。ピン１４５はベース部本体３１の一方の挿通孔４３Ｂから他端部１４５Ｃが圧入されており、他方の挿通孔４３Ｂから他端部１４５Ｃが突出している。これにより、ピン１４５は第１ベース部３０Ａ及び第２ベース部３０Ｂに対して回動が抑制される。つまり、転倒防止装置２は、挿通孔４３Ｂにピン１４５が圧入され、ピン１４５と挿通孔４３Ｂとの間に生じる摩擦力によって第１ベース部３０Ａ、及び第２ベース部３０Ｂに対してピン１４５の回動を抑制する。
【００５８】
転倒防止装置２は、実施形態１の転倒防止装置１と同様の方法で取り付けることができる。図１１、１２に示すように、先ず、圧縮バンド９０によってダンパ１０が所定の収縮状態に保持された転倒防止装置２の第１ベース部３０Ａを、家具Ｆの上面に当接させて載置する。そして、ダンパ１０のシリンダ１１が角度規制部７０の受け部７１Ａに当接するようにダンパ１０を傾斜させ、ダンパ１０の傾斜角度を１５°〜２５°の間の角度にする（図７参照。）。そして、第２ベース部３０Ｂのピン１４５が、第１ベース部３０Ａのピン１４５と平行になるように、第２ベース部３０Ｂの向きを調節する（図７参照。）。そして、第２ベース部３０Ｂの滑り止め部３７を天井Ｃに対しておおよそ平行になるように、ダンパ１０に対して第２ベース部３０Ｂを回動させる（図７参照。）。
【００５９】
このとき、ダンパ１０の付勢力に基づいて圧縮バンド９０と第２ベース部３０Ｂのピン１４５との間に生じる摩擦力によって、天井Ｃに対する第２ベース部３０Ｂの滑り止め部３７の向きがおおよそ平行の状態に保持されている。そして、圧縮バンド９０の連結部９３を切断すると、シリンダ１１内に封入された圧縮ガスの膨張力によってダンパ１０が伸長し、第２ベース部３０Ｂの滑り止め部３７の向きが天井Ｃに対しておおよそ平行の状態に保持されたまま天井Ｃに当接する（図１、２参照。）。このため、転倒防止装置２は、薄肉部９３Ａを切断してダンパ１０が伸長した際に、第２ベース部３０Ｂの滑り止め部３７の天井Ｃに対する向きがおおよそ平行の状態を保持して当接することができる。こうして家具Ｆの上面と天井Ｃとの間に取り付けられた転倒防止装置２は、ダンパ１０に対して第１ベース部３０Ａ及び第２ベース部３０Ｂが回動自在な状態である。
【００６０】
このように、転倒防止装置２は、第１ベース部３０Ａ及び第２ベース部３０Ｂに対してピン１４５の回動が抑制されている。ピン１４５に圧縮バンド９０を係止して、ダンパ１０を所定の収縮状態に保持している場合、ダンパ１０の付勢力に基づいて圧縮バンド９０とピン１４５との間に生じる摩擦力によってダンパ１０に対して第１ベース部３０Ａ及び第２ベース部３０Ｂが回動することが抑制される。これにより、転倒防止装置２を家具Ｆの上面と天井Ｃとの間に設置する場合、予めダンパ１０に対する第２ベース部３０Ｂの姿勢をおおよそ定めると、その姿勢を保持することができる。つまり、転倒防止装置２を家具Ｆの上面と天井Ｃとの間に取り付ける作業を行う場合、天井Ｃに当接する第２ベース部３０Ｂの姿勢を天井Ｃに当接する向きに調節してその姿勢を保持する手間がかからない。
また、転倒防止装置２は、圧縮バンド９０がピン１４５に係止した状態で圧縮バンド９０を切断して、家具Ｆの上面と天井Ｃとの間に取り付けると、圧縮バンド９０とピン１４５との間にダンパ１０の伸長方向の付勢力に基づく摩擦力が生じなくなるため、ダンパ１０に対して第１ベース部３０Ａ及び第２ベース部３０Ｂが回動自在になる。これにより、転倒防止装置２は第１ベース部３０Ａ及び第２ベース部３０Ｂに対してダンパ１０がピン１４５の中心軸周りに回動し、第２ベース部３０Ｂが天井Ｃに当接した状態を維持することができる。
【００６１】
したがって、転倒防止装置２も家具Ｆの上面と天井Ｃとの間に容易に取り付けることができる。
【００６２】
また、転倒防止装置２の第１ベース部３０Ａ及び第２ベース部３０Ｂはピン１４５の外径より僅かに小さい内径の挿通孔４３Ｂが形成されており、挿通孔４３Ｂにピン１４５が圧入され、ピン１４５と挿通孔４３Ｂとの間に生じる摩擦力によって第１ベース部３０Ａ及び第２ベース部３０Ｂに対してピン１４５の回動を抑制している。このため、転倒防止装置２は、挿通孔４３Ｂにピン１４５を圧入することによって第１ベース部３０Ａ及び第２ベース部３０Ｂに対してピン１４５の回動を容易に抑制することができる。
【００６３】
本発明は上記記述及び図面によって説明した各実施形態に限定されるものではなく、例えば次のような実施形態も本発明の技術的範囲に含まれる。
（１）実施形態１、２では、転倒防止装置を家具に対して取り付けたが、複数の寝台を上下方向に連結したベッド、大型テレビ、冷蔵庫、書棚、ショーケース、サーバーラック等、地震の揺れ等によって転倒するおそれのある物品に対して取り付けてもよい。
（２）実施形態１、２では、転倒防止装置を壁面に背面を対向させて床面上に載置された家具に対して取り付けたが、壁面に隣接させずに床面上に載置された家具等に対して取り付けてもよい。
（３）実施形態１、２では、ピンに圧縮バンドを係止してダンパを所定の収縮状態に保持したが、各ベース部そのものに圧縮バンドを係止したり、各ベース部やダンパに圧縮バンドを係止する部分を設けて、その部分に圧縮バンドを係止したりして、ダンパを所定の収縮状態に保持してもよい。
（４）実施形態１、２では、圧効きダンパを利用したが、収縮動作時に所定の減衰力を発揮するものであれば、両効きダンパであってもよい。
（５）実施形態１、２では、シリンダ内に作動油及び圧縮ガスを封入したダンパを利用したが、収縮動作時に所定の減衰力を発生させるものであれば、他の液体を封入した液体圧ダンパであっても、他の形式のダンパであってもよい。
（６）実施形態１、２では、シリンダ内に圧縮ガスを封入して伸張方向に圧縮ガスの膨張力が働くようにしたが、コイルばねを設ける等の他の方式で伸張方向に働く力を発生させてもよい。
（７）実施形態１、２では、角度規制部が第１ベース部に着脱自在に取り付けられたが、角度規制部を第１ベース部やダンパのシリンダに一体的に形成してもよい。
（８）実施形態１、２では、圧縮バンドがポリプロピレン等の樹脂材料等で形成されているが、公知の様々な材料を用いてもよい。この場合、伸縮がある程度抑えられた材料を用いるとよい。
【符号の説明】
【００６４】
Ｃ…天井、Ｆ…家具（物品）、１０…ダンパ、３０Ｂ…第２ベース部（ベース部）、４３Ｂ…挿通孔、４５，１４５…ピン（回動軸）、４７…プッシュナット、９０…圧縮バンド
【図１】
2019017839.tif 000003
【図２】
2019017839.tif 000004
【図３】
2019017839.tif 000005
【図４】
2019017839.tif 000006
【図５】
2019017839.tif 000007
【図６】
2019017839.tif 000008
【図７】
2019017839.tif 000009
【図８】
2019017839.tif 000010
【図９】
2019017839.tif 000011
【図１０】
2019017839.tif 000012
【図１１】
2019017839.tif 000013
【図１２】
2019017839.tif 000014